(57)【要約】【課題】使い慣れた操作端末を用いて、かかる機器を操作したいという要望に応える。【解決手段】少なくとも一つの操作要素を備えた操作部を具備し、この操作部の操作要素の各々に対応して、予め定められた機能種別のいずれかを表す情報を関連付けて保持しておく。制御対象装置が受入可能な指示命令の情報を取得し、操作要素ごとに、操作要素に対応する機能種別に分類された指示命令の情報のいずれかを選択的に各操作要素に設定し、操作要素のいずれかが操作されたときに、当該操作された操作要素に対して設定された指示命令を出力する操作端末である。【選択図】図１
2009105597.tif 000002
【特許請求の範囲】
【請求項１】
操作端末と、
中央装置と、
少なくとも一つの制御対象装置と、を含む制御システムであって、
前記中央装置は、
前記制御対象装置の少なくとも一部に対する指示命令の情報を、予め定められた機能種別に分類して記憶しており、
前記操作端末は、
少なくとも一つの操作要素を備えた操作部を具備し、
前記操作部の操作要素の各々に対応して、予め定められた機能種別のいずれかを表す情報を関連付けて保持する保持手段と、
前記中央装置と通信し、前記制御対象装置が受入可能な指示命令の情報を取得し、操作要素ごとに、操作要素に対応する機能種別に分類された前記指示命令の情報のいずれかを選択する手段と、
前記操作要素ごとに選択した指示命令を、それぞれ対応する操作要素に設定する手段と、
前記操作要素のいずれかが操作されたときに、当該操作された操作要素に対して設定された指示命令を出力する手段と、
を含み、
前記制御対象装置は、前記操作端末から指示命令を受けて、当該指示命令の表す機能を提供することを特徴とする制御システム。
【請求項２】
少なくとも一つの操作要素を備えた操作部を具備し、
前記操作部の操作要素の各々に対応して、予め定められた機能種別のいずれかを表す情報を関連付けて保持する保持手段と、
制御対象装置が受入可能な指示命令の情報を取得し、操作要素ごとに、操作要素に対応する機能種別に分類された前記指示命令の情報のいずれかを選択する選択手段と、
前記操作要素ごとに選択した指示命令を、それぞれ対応する操作要素に設定する設定手段と、
前記操作要素のいずれかが操作されたときに、当該操作された操作要素に対して設定された指示命令を出力する出力手段と、
を含むことを特徴とする操作端末。
【請求項３】
指示命令の出力先となる制御対象装置を特定する手段をさらに含み、
前記選択手段は、操作要素の各々に対して、前記保持手段に保持された情報で表される機能種別に属する指示命令であって、複数の制御対象装置にそれぞれ対する、複数の指示命令の設定を選択し、
前記出力手段は、前記操作要素のいずれかが操作されたときに、当該操作された操作要素に対して設定された指示命令のうち、前記指示命令の出力先として特定された制御対象装置に対応する指示命令を出力する
ことを特徴とする請求項２記載の操作端末。
【請求項４】
少なくとも一つの操作要素に対して、利用者による指示命令の指定を受け入れて、受け入れた指示命令を、対象となった操作要素に関する指示命令として設定する手段と、
前記利用者の指示により設定した操作要素と、対応する指示命令とを関連付けて設定履歴として記憶する履歴記憶手段と、
を含み、
前記出力された設定履歴が、各操作要素に対して設定する指示命令の選択に供されることを特徴とする請求項２または３記載の操作端末。
【請求項５】
コンピュータを、
少なくとも一つの操作要素を備えた操作部を具備し、
前記操作部の操作要素の各々に対応して、予め定められた機能種別のいずれかを表す情報を関連付けて保持する保持手段と、
制御対象装置が受入可能な指示命令の情報を取得し、操作要素ごとに、操作要素に対応する機能種別に分類された前記指示命令の情報のいずれかを選択する手段と、
前記操作要素ごとに選択した指示命令を、それぞれ対応する操作要素に設定する手段と、
前記操作要素のいずれかが操作されたときに、当該操作された操作要素に対して設定された指示命令を出力する手段と、
として機能させることを特徴とするプログラム。
【発明の詳細な説明】
【技術分野】
【０００１】
本発明は、制御システム、操作端末、及びプログラムに関する。
【背景技術】
【０００２】
複数の操作ボタンを備えるリモートコントローラに対して、各操作ボタンが押下されたときに出力する信号を別途設定可能としたものがある（例えば特許文献１）。
【特許文献１】特開２００５−１７５８００号公報
【発明の開示】
【発明が解決しようとする課題】
【０００３】
操作が未知の機器であっても、使い慣れた操作端末を用いて、かかる機器を操作したいという要望がある。
【課題を解決するための手段】
【０００４】
請求項１記載の発明は、操作端末と、中央装置と、少なくとも一つの制御対象装置と、を含む制御システムであって、前記中央装置は、前記制御対象装置の少なくとも一部に対する指示命令の情報を、予め定められた機能種別に分類して記憶しており、前記操作端末は、少なくとも一つの操作要素を備えた操作部を具備し、前記操作部の操作要素の各々に対応して、予め定められた機能種別のいずれかを表す情報を関連付けて保持する保持手段と、前記中央装置と通信し、前記制御対象装置が受入可能な指示命令の情報を取得し、操作要素ごとに、操作要素に対応する機能種別に分類された前記指示命令の情報のいずれかを選択する手段と、前記操作要素ごとに選択した指示命令を、それぞれ対応する操作要素に設定する手段と、前記操作要素のいずれかが操作されたときに、当該操作された操作要素に対して設定された指示命令を出力する手段と、を含み、前記制御対象装置は、前記操作端末から指示命令を受けて、当該指示命令の表す機能を提供することとしたものである。
【０００５】
請求項２記載の発明は、操作端末であって、少なくとも一つの操作要素を備えた操作部を具備し、前記操作部の操作要素の各々に対応して、予め定められた機能種別のいずれかを表す情報を関連付けて保持する保持手段と、制御対象装置が受入可能な指示命令の情報を取得し、操作要素ごとに、操作要素に対応する機能種別に分類された前記指示命令の情報のいずれかを選択する選択手段と、前記操作要素ごとに選択した指示命令を、それぞれ対応する操作要素に設定する設定手段と、前記操作要素のいずれかが操作されたときに、当該操作された操作要素に対して設定された指示命令を出力する出力手段と、を含むこととしたものである。
【０００６】
請求項３記載の発明は、請求項２記載の操作端末であって、指示命令の出力先となる制御対象装置を特定する手段をさらに含み、前記選択手段は、操作要素の各々に対して、前記保持手段に保持された情報で表される機能種別に属する指示命令であって、複数の制御対象装置にそれぞれ対する、複数の指示命令の設定を選択し、前記出力手段は、前記操作要素のいずれかが操作されたときに、当該操作された操作要素に対して設定された指示命令のうち、前記指示命令の出力先として特定された制御対象装置に対応する指示命令を出力することとしたものである。
【０００７】
請求項４記載の発明は、請求項２または３記載の操作端末であって、少なくとも一つの操作要素に対して、利用者による指示命令の指定を受け入れて、受け入れた指示命令を、対象となった操作要素に関する指示命令として設定する手段と、前記利用者の指示により設定した操作要素と、対応する指示命令とを関連付けて設定履歴として記憶する履歴記憶手段と、を含み、前記出力された設定履歴が、各操作要素に対して設定する指示命令の選択に供されることとしたものである。
【０００８】
請求項５記載の発明は、プログラムであって、コンピュータを、少なくとも一つの操作要素を備えた操作部を具備し、前記操作部の操作要素の各々に対応して、予め定められた機能種別のいずれかを表す情報を関連付けて保持する保持手段と、制御対象装置が受入可能な指示命令の情報を取得し、操作要素ごとに、操作要素に対応する機能種別に分類された前記指示命令の情報のいずれかを選択する手段と、前記操作要素ごとに選択した指示命令を、それぞれ対応する操作要素に設定する手段と、前記操作要素のいずれかが操作されたときに、当該操作された操作要素に対して設定された指示命令を出力する手段と、として機能させることとしたものである。
【発明の効果】
【０００９】
請求項１，２，５記載の発明によると、制御対象装置に対する指示命令が、操作端末側の、それに適合した機能種別の操作要素に割り当てられる。これによって、操作が未知の機器であっても、使い慣れた操作端末を用いて、かかる機器を操作したいという要望に応えることができる。
【００１０】
請求項３記載の発明によると、複数の操作対象装置があっても、個々の操作対象装置ごとに対応した指示命令が出力される。
【００１１】
請求項４記載の発明によると、利用者による設定変更が可能となり、その後の設定に当該設定変更の履歴を用いることができる。
【発明を実施するための最良の形態】
【００１２】
本発明の実施の形態について図面を参照しながら説明する。本発明の実施の形態に係る制御システムは、図１に例示するように、操作端末１と、中央装置２と、少なくとも一つの制御対象装置３とを含んで構成されている。
【００１３】
ここで操作端末１は、例えば携帯電話機や、ＰＤＡ（Ｐｅｒｓｏｎａｌ  Ｄｉｇｉｔａｌ  Ａｓｓｉｓｔａｎｔ）などでよい。この操作端末１は、制御部１１、記憶部１２、操作部１３、表示部１４、及び通信部１５を含んで構成されている。また、中央装置２は、室内に設置されたサーバ装置などであり、制御部２１、記憶部２２、及び通信部２３を含んで構成されている。
【００１４】
さらに制御対象装置３は、例えば中央装置２と同室に設置された照明、パーソナルコンピュータ、プロジェクタ、音響システムその他の装置であり、いずれも操作端末１との通信手段を備えて、操作端末１から受信されるコマンド（指示命令）に基づいて動作する。例えばこの通信手段は、無線ＬＡＮ（Ｌｏｃａｌ  Ａｒｅａ  Ｎｅｔｗｏｒｋ）であってもよいし、有線のＬＡＮであってもよい。また、その他の無線・有線通信手段であってもよい。
【００１５】
ここで操作端末１の制御部１１は、ＣＰＵ（Ｃｅｎｔｒａｌ  Ｐｒｏｃｅｓｓｉｎｇ  Ｕｎｉｔ）等のプログラム制御デバイスであり、記憶部１２に格納されたプログラムに従って動作する。この制御部１１は、通信部１５を介して中央装置２と通信し、制御対象装置３に対して送信可能なコマンドの情報を受け入れる。そして、操作部１３が具備するボタンなど操作要素の各々に対して、各操作要素が操作されたときに出力するべきコマンドを選択して設定する。そして、操作部１３の操作要素が操作されたときに、当該操作された操作要素に設定したコマンドを出力する。この制御部１１の詳しい動作の内容については、後に詳しく述べる。
【００１６】
記憶部１２は、例えばメモリデバイスであり、制御部１１が実行するプログラムを保持する。このプログラムは、ＤＶＤ−ＲＯＭなどコンピュータ可読な記録媒体に格納されて提供され、ここへ複写されるものであってもよい。またこの記憶部１２は、制御部１１のワークメモリとしても動作する。
【００１７】
さらに本実施の形態の記憶部１２は、操作部１３が具備する操作要素の各々に対応して、予め定められた機能種別のいずれかを表す情報を関連付けて保持する保持手段としても機能する。ここに、機能種別の情報は、例えば「オン・オフ（スイッチ）機能」、「アップ・ダウン（値増減）機能」などというように、抽象的な指示を表す情報である。一例として、この記憶部１２には、操作部１３が備えている各ボタンに対応して、図２に例示するようにボタンを特定する情報（操作要素識別情報）と、機能種別の情報とを関連付けて保持している。
【００１８】
操作部１３は、テンキーや、電源ボタン、ダイヤル、ジョイスティック、十字（方向）キーなどの操作要素を含んで構成される。ここでは、各操作要素には、予め操作要素識別情報が割り当てられているものとする。操作部１３は、操作要素に対する操作が行われると、操作された操作要素の操作要素識別情報と、操作の内容（押下、右回転角度など）とを制御部１１に出力する。
【００１９】
表示部１４は、液晶ディスプレイなどであり、制御部１１から入力される指示に従って情報を提示する。通信部１５は、例えば無線ＬＡＮインタフェースなどであり、中央装置２や、制御対象装置３との間で情報の送受を行う。また、この通信部１５は、無線ＬＡＮインタフェースに限らず、赤外線通信インタフェースや、非接触カードなどで用いられる通信方式、ブルートゥースなどの規格に基づく通信インタフェースなどを含んでもよい。
【００２０】
また、中央装置２の制御部２１は、ＣＰＵなどのプログラム制御デバイスであり、記憶部２２に格納されたプログラムに従って動作する。この制御部２１は、通信部２３を介して操作端末１と通信を行い、機能種別に分類されて記憶部２２に保持しているコマンドの情報を出力する。
【００２１】
記憶部２２は、メモリデバイスや、ハードディスクなどのストレージデバイスなどである。この記憶部２２は、制御部２１によって実行されるプログラムを保持している。このプログラムは、ＤＶＤ−ＲＯＭなどのコンピュータ可読な記録媒体に格納されて提供され、この記憶部２２に格納されたものであってもよい。
【００２２】
本実施の形態では、この記憶部２２に、少なくとも一つの制御対象装置３に対する少なくとも一つのコマンドがコマンドデータベースに保持される。各コマンドは予め定められた機能種別に分類してコマンドデータベースに記憶されている。すなわち、記憶部２２には、コマンドデータベースとして、図３に例示するように、コマンドと、当該コマンドの出力先である制御対象装置３を特定する情報と、当該コマンドに対応する機能種別とが関連付けて記憶されている。
【００２３】
例えば、制御対象装置３である音響システムに対し、音量を大きくする指示として送信するべきコマンドと、当該コマンドによって制御される制御項目（「音量」、「電源」、「明るさ」などの別。この場合は「音量」）と、当該コマンドの機能種別（この場合は、値の増減に関するので、上述の例によると「アップ・ダウン機能」とされる）とが関連付けて記憶部２２に格納されている。
【００２４】
通信部２３は、例えば無線ＬＡＮインタフェースなどであり、操作端末１との間で情報の送受を行う。また、この通信部２３は、無線ＬＡＮインタフェースに限らず、赤外線通信インタフェースや、非接触カードなどで用いられる通信方式、ブルートゥースなどの規格に基づく通信インタフェースなどを含んでもよい。
【００２５】
ここで、操作端末１の制御部１１の動作について述べる。制御部１１によって実行されるプログラムは、図４に例示するように、機能的に、コマンド候補取得部３１と、コマンド選択部３２と、コマンド設定部３３と、コマンド表示部３４と、コマンド出力部３５とを含んで構成されている。
【００２６】
コマンド候補取得部３１は、中央装置２と通信可能な状態となったときに、または利用者の指示により中央装置２と通信を行う。そして中央装置２から、コマンドデータベースの内容を取得する。
【００２７】
コマンド選択部３２は、中央装置２から取得したコマンドデータベースの内容と、操作部１３の操作要素ごとに予め設定されている機能種別の情報とに基づいて、各操作要素に対して割り当てるべきコマンドを選択する。
【００２８】
このコマンド選択部３２は、例えば次のように動作する。コマンド選択部３２は、操作部１３に含まれる操作要素を順次、処理対象として選択する。そして選択した処理対象に関連付けられている機能種別の情報を参照し、当該機能種別の情報に分類されているコマンドのうち、未だいずれかの操作要素に割り当てられていないコマンドを、設定候補として中央装置２から取得したコマンドデータベースから取り出す。
【００２９】
ここで設定候補となるコマンドがコマンドデータベースに複数あれば、そのうちの一つを設定コマンドとして選択する。そして当該選択した設定コマンドと、処理対象である操作要素を特定する情報とをコマンド設定部３３に出力する。
【００３０】
この設定コマンドの選択は、例えばランダムに行ってもよいが、予め定めた評価関数が最大となるように設定してもよい。一例としてこの評価関数は、処理対象となっている操作要素に隣接して配されている操作要素に設定したコマンドや、コマンドごとに予め定められた評価点数などに基づいて定義される。すなわち、本実施の形態の操作端末１は、例えば各操作要素の操作要素識別情報に対して、その左隣、右隣、上隣、下隣に位置する操作要素（隣接操作要素）があれば、隣接操作要素の操作要素識別情報を、左隣、右隣、上隣、下隣のいずれであるかを表す情報とともに関連付けて記憶しておく。
【００３１】
そして処理対象となった操作要素の操作要素識別情報に隣接操作要素の操作要素識別情報が関連づけられていれば、その操作要素識別情報に関連づけて設定されているコマンドを参照する。コマンド選択部３２は、設定候補となったコマンドのうち、当該参照したコマンドの出力先である制御対象装置３が共通するコマンドがあれば、当該コマンドについての評価点を予め定めた点数だけ加点する。また、参照したコマンドと、その制御項目が共通するコマンドが設定候補となったコマンドのうちにあれば、当該コマンドについての評価点を予め定めた点数だけ加点する。なお、各加点の点数は、加点の原因に応じて異なる数値であっても構わない。
【００３２】
これにより、例えば音響システムの音量を大きくするコマンドを割り当てる操作要素と、音量を小さくするコマンドを割り当てる操作要素とが並んで配置されやすくなる。
【００３３】
さらに、操作端末１においては、制御項目ごとに優先順位を設けておき、設定候補となったコマンドごとに、その制御項目の優先順位に応じて、評価点の加点を行ってもよい。
【００３４】
一例として、電源、音量、明るさの順に優先順位が設定されているとするとき、電源について加点「２０」、音量について加点「１０」、明るさの加点を「０」としておく。また隣接する操作要素に制御対象装置３が共通するコマンドが割り当てられている場合の加点を「５」、隣接する操作要素に制御項目が共通するコマンドが割り当てられている場合の加点を「２」とする。
【００３５】
ここで、
（１）制御対象装置：全装置、制御項目：電源、コマンド：電源オン・オフ
（２）制御対象装置：音響システム、制御項目：音量、コマンド：音量小さく
（３）制御対象装置：音響システム、制御項目：音量、コマンド：音量大きく
（４）制御対象装置：プロジェクタ、制御項目：音量、コマンド：音量ミュート
…
というようにコマンド候補があるとすると、それぞれに、まず
（１）：２０点
（２）：１０点
（３）：１０点
（４）：１０点
…
と加点がなされ、最初に処理対象として選択された、「オン・オフ機能」の機能種別の操作要素に対して、（１）全装置に対する電源のオン・オフのコマンドが割り当てられる。また、最初に処理対象として選択された「アップ・ダウン機能」の機能種別の操作要素に対して、（２）、（３）、（４）のいずれか（ここでは例えば（２）の音響システムに対する音量小さくのコマンドとする）が割り当てられる。
【００３６】
次に、当該音響システムの音量を低減するコマンドを割り当てた操作要素に隣接する操作要素に対しては、同じ制御対象装置の同じ制御項目に係るコマンドに対する加点が行われ、
（３）：１０点＋５点＋２点＝１７点
（４）：１０点＋２点＝１２点
…
となり、（３）音響システムに対する音量大きく、のコマンドが割り当てられる。
【００３７】
なお、評価関数としては、ここで示したような評価点数に基づくものに限られるものではない。
【００３８】
コマンド設定部３３は、コマンド選択部３２にて選択された設定コマンドと、当該設定コマンドを割り当てる先となった処理対象である操作要素を特定する情報との入力を受けて、当該操作要素の操作要素識別情報に、コマンドを関連づけて、操作データベースとして記憶部１２に格納する。これにより、各操作要素に対するコマンドの設定が完了すると、記憶部１２の操作データベースには、図５に示すように、操作要素識別情報と、それに対して選択的に割り当てられたコマンドの情報とが関連付けて保持されていることとなる。
【００３９】
コマンド表示部３４は、利用者の指示により操作データベースの内容を読み出して、その内容を表示部１４に表示出力する。このコマンド表示部３４における処理のために、利用者が認識可能な文字列やアイコンなど、コマンドの内容を説明する説明情報を、コマンドの情報に予め含めておいてもよい。この場合、コマンド表示部３４は、操作要素を特定する情報ごとに、対応するコマンドの説明情報を表示部１４に表示する。例えば操作要素の位置を表す情報と、操作要素識別情報とを関連付けたデータを保持しておき、当該データを参照して、図５に示すように、各操作要素の配置位置に対応する位置に、各操作要素に割り当てたコマンドの説明情報を表示してもよい。
【００４０】
コマンド出力部３５は、利用者が操作部１３を操作すると、そのときに操作が行われた操作要素の操作要素識別情報を取得する。そして、当該取得した操作要素識別情報に関連づけて操作データベースに格納されているコマンドを読み出し、当該コマンドを通信部１５を介して出力する。
【００４１】
本実施の形態のシステムは以上の構成を備えているので、次のように動作する。例えば各種の制御対象装置３を設置した会議室を利用する場合、利用者が携帯電話機などの操作端末１を所持して、この会議室を訪問する。この会議室には、中央装置２が設置されており、この会議室内の制御対象装置３が受入可能なコマンドに関するコマンドデータベースを保持している。
【００４２】
利用者は操作端末１を操作して中央装置２と通信させる。すると、操作端末１はコマンドデータベースの内容を取得する。そして操作端末１は、予め、操作部に備えているボタンなどの操作要素ごとに、各操作要素について設定されている機能種別を参照しつつ、コマンドデータベースに含まれるコマンドを割り当てる。
【００４３】
これにより、操作端末１が、この会議室内に配置された制御対象装置３を制御するためのリモートコントローラとして機能することとなる。
【００４４】
なお、ここまでの説明においては、操作端末１は、各操作要素に対して一つのコマンドを割り当てることとしていた。しかしながら本実施の形態はこれに限られるものではない。すなわち、一つの操作要素に対して、出力先となる制御対象装置３が互いに異なる複数のコマンドを割り当ててもよい。例えば、音響システムに対する音量ミュートのコマンドと、プロジェクタや、パーソナルコンピュータに対する音量ミュートのコマンドとを同じボタンに割り当ててもよい。
【００４５】
操作端末１は、こうして複数のコマンドが割り当てられているボタンなどが操作されたときには、当該割り当てられている複数のコマンドを順次出力してもよい。
【００４６】
また、操作端末１は、この複数のコマンドのうち、選択されたコマンドを出力することとしてもよい。例えば、操作端末１は、操作端末１から最も近い場所にある制御対象装置３を出力先となる制御対象装置３として検出して、当該検出した制御対象装置３に対して出力するべきコマンドを選択的に出力してもよい。ここで、操作端末１から最も近い場所にある制御対象装置３を検出する方法としては、無線にて通信を行っている場合、受信電界強度が最も大きい制御対象装置３を選択してもよい。
【００４７】
また、例えば予め制御対象装置３の筐体に、当該制御対象装置３を識別する情報（一例としてはバーコードなどの符号画像やＲＦＩＤ（Ｒａｄｉｏ  Ｆｒｅｑｕｅｎｃｙ  Ｉｄｅｎｔｉｆｉｃａｔｉｏｎ）タグ）を貼り付けておき、利用者が出力先としたい制御対象装置３に貼り付けられた当該情報を操作端末１に読み取らせる（例えば携帯電話機であれば、図示しないカメラなどで撮影したり、ＲＦＩＤタグと通信するなど）。操作端末１は、当該読み取った情報によって識別される制御対象装置３を出力先とし、当該出力先となった制御対象装置３に対して出力するべきコマンドを選択的に出力してもよい。
【００４８】
さらに、ここまでの説明では、操作端末１が、各操作要素に対して割り当てるコマンドを選択して設定する場合を例として説明したが、当該設定されたコマンドを利用者が異なるものに置き換えても構わない。この場合、利用者は、割り当てたコマンドを変更する操作要素を選択して、操作端末１に割当可能なコマンドの候補を表示させる。このとき操作端末１は、利用者が選択した操作要素に関連付けられている機能種別を読み出し、この読み出した機能種別に対応するコマンドを、中央装置２から取得したコマンドデータベースから選択して表示し、利用者に選択させる。
【００４９】
利用者が、このコマンド候補から割り当てるべきコマンドを選択すると、操作端末１は、当該選択されたコマンドを、選択されている操作要素に対応する操作要素識別情報に関連づけて操作データベースに記憶し、操作データベースを更新する。
【００５０】
このとき、操作端末１は、操作要素識別情報と、利用者が選択したコマンドを特定する情報とを関連付けて、設定履歴として記憶部１２に格納してもよい。このようにしておくと、例えばコマンド選択部３２の動作において、設定履歴を参照し、処理対象となった操作要素の操作要素識別情報に対して過去に利用者の指示によって割り当てられたコマンドがあれば、当該コマンドに対して評価点を加点することとしてもよい。これにより、過去に利用者がある操作要素に対してあるコマンドを設定したときには、次回から同じ操作要素に同じコマンドが設定される確率が高められる。
【００５１】
さらに、ここでコマンドは、例えば制御対象装置３に受け入れられる情報そのもの（例えば指示文字列や、制御文字列、または赤外線の発光パターンなどでもよい）であってもよいが、現在の設定値αを記憶させ、この（α＋１）ｍｏｄＮの値を出力させるというように、操作端末１側での記憶や演算の処理指示を含んでもよい。この場合、コマンドはプログラムとして実現される。なお、ＡｍｏｄＢは、ＡをＢで除したときの余りの値であり、ここでのＮはコマンドとして予め指定される値である。このようにすると、機器を順次選択するコマンドなどを操作端末１が出力できるようになる。
【００５２】
さらに、ここではコマンド選択部３２の動作を操作端末１側で行っているが、これを中央装置２側で行うこととしてもよい。この場合、操作端末１は、操作要素に関連付けられている機能種別の情報を中央装置２へ送出し、中央装置２にてコマンド選択部３２の動作を行わせ、中央装置２からコマンド選択部３２の出力を受けて、各操作要素へコマンドを設定することになる。
【図面の簡単な説明】
【００５３】
【図１】本発明の実施の形態に係る制御システムの構成例を表すブロック図である。
【図２】本発明の実施の形態に係る操作端末が記憶している操作要素ごとの機能種別の例を表す説明図である。
【図３】本発明の実施の形態に係る制御システムの中央装置が保持する、制御対象装置が受入可能なコマンドを記憶したコマンドデータベースの例を表す説明図である。
【図４】本発明の実施の形態に係る操作端末の例を表す機能ブロック図である。
【図５】本発明の実施の形態に係る操作端末に設定される操作データベースの例を表す説明図である。
【符号の説明】
【００５４】
１  操作端末、２  中央装置、３  制御対象装置、１１，２１  制御部、１２，２２  記憶部、１３  操作部、１４  表示部、１５，２３  通信部、３１  コマンド候補取得部、３２  コマンド選択部、３３  コマンド設定部、３４  コマンド表示部、３５  コマンド出力部。
【図１】
2009105597.tif 000003
【図２】
2009105597.tif 000004
【図３】
2009105597.tif 000005
【図４】
2009105597.tif 000006
【図５】
2009105597.tif 000007